(57)【要約】本発明は節水型洋風便器に関し、より詳しくは、密閉型ロータンクに多量の空気を流入させ内部の空気圧を増大させることにより洗浄水の流出が終了するまでずっと高い水圧を維持できるので少量の洗浄水でも汚物を排出すると同時に貯水槽をきれいに洗浄できるようにする節水型洋風便器に関する。  本発明の節水型洋風便器は密閉型で内部に圧力調節器と開閉手段が形成されるロータンクと、前記ロータンクに連結される洗浄水流出管と、前記洗浄流出管内に形成される開閉手段と、前記洗浄水が貯蔵され洗浄流出管と連結される貯水槽と、前記貯水槽の下部に排出手段を備えることを特徴とする。  本発明の節水型洋風便器は節水の効果が優れて水資源の節約による環境保護の効果がある。
2006500496.tif 000002
【特許請求の範囲】
【請求項１】
底に形成された洗浄水流出口を開閉する球状ゴムフロートが内蔵され、前記洗浄水流出口の一側に給水管が連結され前記洗浄水流出口の周辺が漏斗状である密閉されたロータンクと、
前記洗浄水流出口と連結された洗浄水流出管に内設され前記球状ゴムフロートをタッチし前記洗浄水流出口を開放する開放手段と、
前記洗浄水流出管と連結され洗浄水を提供し底の汚物排出口に磁石が設けられている貯水槽と、
ローラーに支持されるワイヤーで前記開放手段と連結され開放作動時貯水槽の洗浄水と汚物が前記汚物排出口を介して排出されるように開き、閉鎖作動時前記磁石の磁力により閉じる開閉ふたと、を含むことを特徴とする節水型洋風便器。
【請求項２】
前記開放手段は作動レバーが設けられたピニオンギアと、
前記ピニオンギアとかみ合い前記作動レバーの開放作動により上昇し前記球状ゴムフロートにタッチされるラックギアと、
前記ラックギアの上昇により圧縮され前記作動レバーの閉鎖作動により引張られ前記作動レバーを元の位置に戻らせる弾性スプリングと、を含むことを特徴とする請求項１に記載の節水型洋風便器。
【請求項３】
前記貯水槽の一側に貯水槽と連通する放水路が形成されることを特徴とする請求項１に記載の節水型洋風便器。
【請求項４】
前記汚物排出口は貯水槽の底中央から一側方向へ離脱し延長形成されることを特徴とする請求項１に記載の節水型洋風便器。
【請求項５】
前記開閉ふたの回動部であるヒンジにねじれスプリングを設けることを特徴とする請求項１に記載の節水型洋風便器。
【請求項６】
前記ロータンクを球状に形成することを特徴とする請求項１に記載の節水型洋風便器。
【請求項７】
節水型洋風便器において、
ロータンクは密閉型で底に形成された洗浄水流出口を開閉するゴムフロート部が形成された開閉器と、前記開閉器の外側四方に垂直に設けられ前記開閉器が上下に移動するときガイドする開閉器ガイドと、前記洗浄水流出口と離隔した位置に設けられた給水管と、前記給水管とロータンクの連結部に貯水された洗浄水の逆流を防止する洗浄水逆流防止弁と、前記給水管には空気を流入させる空気流入弁と給水量を調節するように連結された給水弁と、前記洗浄水流出口と連結された洗浄水流出管と、上部一側内部に内部空気圧を調節する空気圧力調節器と、前記ロータンクの下部から一定の高さまで挿入された空気注入棒と、前記空気注入棒に空気を押し入れて圧縮する弾性管と、が設けられることを特徴とする節水型洋風便器。
【請求項８】
前記空気圧力調節器は円筒状の側面と下部にホールと、中央下側に空気流出口と、前記空気流出口の下側には洗浄水により上下に移動し前記空気流出口を開閉するように上部に突起と外側に多数の溝が形成される浮具と、前記空気流出口の上部には遮断膜とその上部に設けられたスプリングと、前記スプリングの上部に加圧板と、前記加圧板の上部に固定され内部の空気圧を調節するように空気孔が形成されたナット部に設けられる調節ネジと、からなることを特徴とする請求項７に記載の節水型洋風便器。
【請求項９】
節水型洋風便器において、
内部底に形成された洗浄水流出口を開閉するゴムフロートが形成される開閉器と、前記開閉器の外側四方に垂直に設けられ前記開閉器が上下に移動するときガイドする開閉器ガイドと、前記洗浄水流出口と連結された洗浄水流出管と、上部一側内部に内部空気圧を調節する空気圧力調節器が設けられた密閉型ロータンクと、
前記洗浄水流出口から離隔した位置に洗浄水の逆流を防止する逆流防止弁と、空気を流入させる空気流入弁と給水量を調節する給水弁とが設けられた給水管と、
前記ロータンクの下部から一定の高さまで挿入される空気注入棒と、
前記空気注入棒と連結される弾性管と、
前記貯水槽の上部に位置し回動する便座と、
前記ゴムフロートをタッチし前記洗浄水流出口を開放する開放手段と、
前記洗浄水流出管と連結され洗浄水を提供され底の汚物排出口に磁石が設けられている貯水槽と、
ローラーに支持されたワイヤーで前記開放手段と連結され開放作動時貯水槽の洗浄水と汚物が前記汚物排出口を介して排出されるように開き、閉鎖作動時前記磁石の磁力により閉じる開閉ふたと、からなることを特徴とする節水型洋風便器。
【請求項１０】
前記開放手段は作動レバーが設けられたピニオンギアと、前記ピニオンギアとかみ合い前記作動レバーの開放作動により上昇し前記ゴムフロートにタッチされるラックギアと、前記ラックギアの上昇により圧縮され前記作動レバーの閉鎖作動により引張られ前記作動レバーを元の位置に戻らせる弾性スプリングと、を含むことを特徴とする請求項９に記載の節水型洋風便器。
【請求項１１】
前記便座は貯水槽の上部にヒンジで固定され、便座の下端部には二すじの弾性管が設けられ、前記弾性管の端部には第１チェック弁が設けられ、前記二すじの弾性管は合わせられ一つの管に形成された空気注入棒と第２チェック弁に連結され、前記空気注入棒の端部には第３チェック弁が設けられ、前記空気注入棒は前記ロータンクの下端部から一定の高さまで挿入されることを特徴とする請求項９に記載の節水型洋風便器。
【発明の詳細な説明】
【技術分野】
【０００１】
本発明は節水型洋風便器に関する。より詳しくは、密閉型ロータンクに多量の空気を流入させ内部の空気圧を増大させることにより洗浄水の流出が終了するまでずっと高い水圧を維持することができるので、少量の洗浄水でも汚物を排出するとともに、貯水槽もきれいに洗浄できるようにする節水型洋風便器に関する。
【背景技術】
【０００２】
現在家庭や大形建物のトイレに使用される便器は主に水洗式便器で洋風便器が主流になっている。このような洋風便器の水洗原理は次のようである。
【０００３】
洋風便器のロータンクは蓋を有し、ゴムフロートにより閉鎖され約１３Ｌの洗浄水が溜まっている。洋風便器の貯水槽にも一定量の水が溜まっている。
【０００４】
この状態で使用者が小便または大便(以下、汚物と呼ぶ)をした後、前記ロータンクの開閉レバーを回すとゴムフロートが引き上がりロータンクの洗浄水が洋風便器の貯水槽に流れ汚物が貯水槽から排出管を介して排出される。
【０００５】
ここでその排出原理はサイホン(siphon)作用によるもので、逆Ｕ字型管路(いわゆるサイホントラップ(siphon trap))の最高点で貯水槽と排出管間の圧力差により汚物が一遍に通り抜けるようにした原理である。即ち、開閉レバーを回すとロータンクの洗浄水が貯水槽に流入し貯水槽の水位が上昇し始め、水が逆Ｕ字型管路の最高点を越えると汚物が一遍に排出管を介して排出される。
【０００６】
なお、逆Ｕ字型管路に溜まっている水は前記排出管を介して入ってくる悪臭や虫などの流入を防ぐ。
【０００７】
しかしながら、このような従来の洋風便器は逆Ｕ字型管路の汚物をきれいに通過させるために強い水圧を必要とするので多量の洗浄水が消費される。前記のような従来の洋風便器の洗浄水消費量は約１３Ｌ程度である。このように１３Ｌという多量の洗浄水が必要な理由は従来の洋風便器が貯水槽内の水の量だけで水圧を得る必要があるため、強い水圧を得るのに多量の水が必要となるからである。
【０００８】
そこで家庭ではよく洗浄水の消費量を減らすためロータンク内部にレンガや水を詰めたペットボトルなどを入れるが、このような方式は洗浄水の節約効果が大きくなく、さらに汚物がうまく排出されないことが多いので、もう一度レバーを回す必要が生じることもあり、その場合にはより多量の洗浄水を消費する結果をもたらす。
【０００９】
前記のような問題点を解決するため洋風便器を変形したり様々な節水装置が開発及び市販されているが、その節水効果は大概６〜７Ｌ程度でそれほど大きくなく、むしろ各種節水装置の付加による生産費増加という問題点がある。
【発明の開示】
【発明が解決しようとする課題】
【００１０】
本発明は前記の問題点を解決するために案出されたもので、
第１の目的は逆Ｕ字型管路を除去して汚物が排出される時に不必要な洗浄水の消費を減らし、
第２の目的は密閉されたロータンクの使用によりロータンク内部に空気圧が形成されるようにして、空気圧で洗浄水の水圧を上昇させ洗浄時の洗浄水の消費を減らし、
第３の目的は前記ロータンクを既存の逆Ｕ字型管路を使用した所に設けても節水効果を得られるので既存の洋風便器をリサイクルできるようにする節水型洋風便器を提供することにある。
【課題を解決するための手段】
【００１１】
前記のような目的を達成するために本発明は、底面に形成された洗浄水流出口を開閉する開閉手段が内蔵され、空気が抜けないように密閉されたロータンクと、前記洗浄水流出口と連結される洗浄水流出管に内設され開閉手段をタッチして洗浄水流出口で洗浄水が流出されるようにする開放手段と、前記洗浄水流出管と連結され洗浄水が貯水され底の汚物排出口に磁石が設けられている貯水槽と、前記貯水槽の下端部に形成される開閉ふたと放水路が形成されることを特徴として構成される。
【発明の効果】
【００１２】
前記のように本発明はロータンクを密閉して多量の空気を流入させ空気圧を増大させることにより少量の洗浄水でも貯水槽の汚物をきれいに排出でき、逆Ｕ字型管路を有する貯水槽に装着しても洗浄水を節約できるので資源のリサイクル及び水資源の節約に大きな効果がある。
【発明を実施するための最良の形態】
【００１３】
以下、本発明の好ましい一実施例を添付の図面を参照して詳細に説明する。
【００１４】
図１及び図２に示したように底に形成された洗浄水流出口１４０を開閉する球状ゴムフロート１２０が内蔵され、前記洗浄水流出口１４０の一側に給水管１５０が連結され前記洗浄水流出口１４０の周辺が漏斗状である密閉されたロータンク１１０と、前記洗浄水流出口１４０と連結される洗浄水流出管２４０に内設され球状ゴムフフロート１２０をタッチして洗浄水流出口１４０を開放する開放手段と、前記洗浄水流出管２４０と連結され洗浄水が提供され底の汚物排出口３２０に磁石４２０が設けられている貯水槽３１０と、ローラー４３０に支持されるワイヤー４４０で前記開放手段と連結され開放作動時に貯水槽３１０の洗浄水と汚物が前記汚物排出口３２０を介して排出されるように開き、閉鎖作動時前記磁石４２０の磁力により閉じる開閉ふた４１０と、が含まれて構成される。
【００１５】
前記の開放手段は作動レバー２１１が設けられたピニオンギア２１０と、前記ピニオンギア２１０とかみ合い前記作動レバー２１１の開放作動により上昇し前記球状ゴムフロート１２０にタッチされるラックギア２２０と前記ラックギア２２０の上昇により圧縮され前記作動レバー２１１の閉鎖作動により引張られ前記作動レバー２１１を元の位置に戻らせる弾性スプリング２３０とから構成されるが、前記ピニオンギア２１０及びラックギア２２０、弾性スプリング２３０は洗浄水流出管２４０の中央に設けられその四方の周りには洗浄水流出路２５０が形成される。
【００１６】
前記ロータンク１１０が外部に対して密閉されるのは、洗浄水が給水管１５０を介して流入されるときに空気の漏れを防止してその空気を圧縮し空気圧を形成して１〜１．５Ｌの少量の洗浄水でも貯水槽３１０内をきれいに洗浄するためである。
【００１７】
前記貯水槽３１０内には洗浄水と汚物が貯水槽に過剰に流入されたとき、過剰流入量の分流出されるようにして貯水量を一定に維持し、貯水槽３１０の洗浄水と汚物が流出されるとき、洗浄水の流入と貯水されていた洗浄水と汚物の流出をバランスよくするため放水路３３０が貯水槽３１０と連通され一体に形成される。
【００１８】
前記貯水槽３１０の汚物排出口３２０に設けられた開閉ふた４１０はヒンジ４５０により回動され前記汚物排出口３２０を開閉するもので、閉じるとき磁石４２０の磁力だけでなく復元力も利用するためヒンジ４５０にねじれスプリングを設けることも好ましい。
【００１９】
以下、本発明の一実施例に係る節水型洋風便器の技術構成の作動過程を説明する。
【００２０】
図１のようにロータンク１１０に洗浄水が貯水されている状態で使用者が用便してから作動レバー２１１を回すと図２のように作動されるが、作動レバー２１１を回すと一体に形成されたピニオンギア２１０が上方向に回転されかみ合っていたラックギア２２０を上方に押し上げながら弾性スプリング２３０は圧縮され、押し上げられたラックギア２２０が球状ゴムフロート１２０の下部を打撃することにより球状ゴムフロート１２０が洗浄水流出口１４０から離脱され浮力により浮流する。
【００２１】
同時にラックギア２２０が上方向へ垂直上昇することによりその下端に設けられたワイヤー４４０がローラー４３０の回転とその支持力により円滑に引っ張られ開閉ふた４１０を開くようになる。このとき球状ゴムフロート１２０が洗浄水流出口１４０から離脱され洗浄水流出口１４０が開きロータンク１１０に溜まっていた洗浄水は内部の空気圧と水圧により高水圧で洗浄水流出路２５０に流出され貯水槽３１０に溜まっている洗浄水に加えられ、同時に開閉ふた４１０が開き貯水槽３１０の洗浄水とともに汚物が貯水槽３１０からすぐ排出される。
【００２２】
一方、浮流された球状ゴムフロート１２０がロータンク１１０の中間程度に到達すると給水管１５０から洗浄水流入口１３０に給水される洗浄水が前記球状ゴムフロート１２０を押し上げ、より迅速に浮流させる。このとき、球状ゴムフロート１２０がロータンク１１０内の洗浄水に及ぼす抵抗が減るので洗浄水流出口１４０を抜ける洗浄水の速度が一層速くなる。
【００２３】
このように磁石４２０により閉じていた開閉ふた４１０が作動レバー２１１を回す人為的な力により開き落差だけで汚物が一度に貯水槽３１０から迅速に排出されるが、作動レバー２１１を手で回して離しても開閉ふた４１０が持続して開放状態を維持しながら汚物を排出できるのはロータンク１１０から高水圧で排出された洗浄水の水圧が貯水槽３１０に与えられながら磁石４２０が開閉ふた４１０を引っ張る力より大きく作用するからである。
【００２４】
このように洗浄水と汚物が排出されながら洗浄水の水圧が弱まり磁石４２０が開閉ふた４１０を引っ張る力が大きくなると開閉ふた４１０が閉じると同時にワイヤー４４０が引っ張られ、圧縮されていた弾性スプリング２３０がラックギア２２０を下方向へ移動させ作動レバー２１１が元の位置に復帰する。
【００２５】
なお、ロータンク１１０内の球状ゴムフロート１２０は重力により下向しながら漏斗状の洗浄水流出口１４０を塞ぐことによりロータンク１１０でこれ以上洗浄水が流出されないようにする。
【００２６】
図３は汚物排出口５３０を貯水槽５１０の底中央から一側方向へ離脱させ延長形成した本発明の他の実施例で、汚物やその他の圧力が開閉ふた４１０に直接伝達されないようになっている。符号５２０は放水路である。
【００２７】
以下、本発明をまた他の実施例と図面を参照して詳細に説明する。
【００２８】
図４乃至図９に示したように、ロータンク１は密閉型で形成され、底に形成された洗浄水流出口５にはゴムパッキング１８が設けられる。前記洗浄水流出口５を開閉するため下端にゴムフロート部２が形成された開閉器３が設けられ、前記開閉器３には開閉器の重心が下側に位置するように内部下側に重量錘２ａが内設されている。前記開閉器３の外側四方には垂直に設けられ前記開閉器３が上下に移動するときにガイドする開閉器ガイド４が形成される。前記洗浄水流出口５と離隔した位置に形成された洗浄水流入口１４には給水管１５が設けられ、前記給水管１５には空気を流入させる空気流入弁１６と給水量を調節する給水弁１７が連結される。前記洗浄水流出口５には洗浄水流出管２４が連結され、ロータンク１内の上部一側には空気圧を調節する空気圧力調節器６が設けられる。
【００２９】
図５において前記空気圧力調節器６は円筒状で形成され、円筒の側面と下部に形成されたホール６ａと、前記円筒の中央下側に形成された空気流出口７と、前記空気流出口７の下側には洗浄水の浮力により上下に移動し前記空気流出口７を開閉するように外側に多数の溝８ａと上部に突起８ｂが形成された浮具８と、前記空気流出口７の上部に設けられた遮断膜９とその上部に設けられたスプリング１０と、前記スプリング１０の上部に設けられた加圧板１１と、前記加圧板１１の上部に固定され内部の空気圧を調節するように空気孔１２ａが形成されたナット部１２に設けられた調節ネジ１３とからなる。なお前記空気圧力調節器６の上部には中央に空気孔１９ａが形成された蓋体１９が設けられる。
【００３０】
前記ロータンク１は図１乃至図３に示した貯水槽３１０と同一な構成及び作動原理を有する貯水槽３１０と連結されている。
【００３１】
前記ロータンク１に給水管１５を介して洗浄水が流入するときに密閉されたロータンク１の上部には一定の空気圧が形成され洗浄水は高水位Ａまで位置するようになる(図６参照)。もし前記開閉器３が開放作動すると前記高水位Ａで水圧と空気圧により低水位Ｂまで洗浄水が流出される(図８参照)。このとき流出される洗浄水の量は１．５〜２．５Ｌ程度である。
【００３２】
前記開放手段は図１乃至図３に示した開放手段と同一な構成で形成され、作動原理も同一である。
【００３３】
前記ロータンク１の開閉器３は重心を重量錘２ａにより下方向のゴムフロート部２に位置させ開閉器３の重力と洗浄水の水圧及び空気圧により洗浄水流出口５のゴムパッキング１８に乗せられ閉じるようになる。
【００３４】
前記給水管１５には空気流入弁１６とロータンク１に流入される洗浄水の量を調節する給水弁１７が設けられ洗浄水流出口５の開放時に洗浄水が給水され空気流入弁１６により空気が一部流入されロータンク１内の空気圧力を一定に維持し洗浄水の水位を一定に維持する。なお、前記洗浄水流入口１４にはロータンク内の圧力が増加しても洗浄水が給水管１５に逆流しないようにするため洗浄水逆流防止弁１４ａが設けられる。
【００３５】
図６及び図９に示したように前記貯水槽３１０の上部には洋風便器の使用者が用便するとき座れるようにヒンジ５４で固定された便座５０が設けられる。前記便座５０の下部には弾性管５２が設けられるが、前記弾性管５２は中空管であり、ゴムやシリコン材質で形成され弾性が優れているので内部空間が圧着されてはまた回復できる、一種の空気ポンプの役割をすることができる。なお、前記弾性管５２は便座５０の模様に沿って二すじ設けられ、前記二すじの弾性管５２の端部には第１チェック弁５５が設けられ、前記便座５０が固定されたヒンジ５４の後側で二すじの弾性管５２が合い一つの弾性管５２を形成する。前記弾性管５２は第２チェック弁５６に連結され空気注入棒５２ａと連結され、前記空気注入棒５２ａはロータンク１に挿入されているが、ロータンク１内部で低水位Ｂの位置より若干高い位置にその端部が位置し、前記端部には第３チェック弁５３が設けられる。
【００３６】
前記のように便座５０に人が座るときに空気が弾性管５２により押され空気注入棒５２ａに圧縮され、ロータンク１内の空気圧が前記空気注入棒５２ａの空気圧より低まると前記空気注入棒５２ａから空気がロータンク１内に注入されロータンク１内の空気圧が上昇する。もし流入された空気の量が多くてロータンク１内部の空気圧が過剰に上昇すると洗浄水の流入量が減る可能性があるので前記空気圧力調節器６が作動されロータンク１内部の空気圧を維持する。
【００３７】
前記洗浄水流出口５とゴムフロート２の接触部、ラックギア２２０と洗浄水流出路２５０の接触部及び磁石４２０と開閉ふた４１０の接触部、空気注入棒５２ａとロータンク１の接触部には洗浄水が漏れないように水密維持用でゴムパッキング１８０、２６０、４６０が設けられる。
【００３８】
前記のように本発明のまた他の実施例に係る節水型洋風便器の作動過程は図１乃至図２に説明した実施例とほぼ同一である。
【００３９】
図６乃至図８に示したように前記開放手段により開閉器３が上昇して洗浄水が洗浄水流出管２４を介して流出されながら貯水槽３１０内の汚物を除去する。前記汚物が除去されてから開閉器３は内部の重量錘２ａにより閉じ、洗浄水流入口１４に洗浄水が入りロータンク１内にはまた空気圧が形成される。
【００４０】
もしロータンク１内部の空気圧が設定された空気圧より上昇すればロータンク１内部の空気は空気圧力調節器６の側面のホール６ａを介して浮具８の溝８ａに沿って空気流出口７の上部を塞いでいた遮断膜９を上向へ押して流出され上側のナット部１２に形成された空気孔１２ａと、上部の蓋体１９に形成されたホール１９ａを介して外部へ流出される。
【００４１】
前記のようにロータンク１の空気圧において、空気圧力調節器６の空気流出口７を介して一部空気圧が流出されれば、スプリング１０の復元力により自動で遮断膜９が空気流出口７を遮断する。前記のようにロータンク１の内部空気圧を一定に維持するために設定した空気圧より内部空気圧が高ければ洗浄水が低水位Ｂに流出されるとき瞬間的に空気圧により空気流出口７上部を塞いでいた遮断膜９が上側に押されながら開き内部の高い空気圧を一定に合わせる。前記空気圧力調節器６は調節ネジ１３を利用してロータンク１の内部空気圧を一定水準に合わせ洗浄水の貯水量と流出量にも変化を与えることができる。
【００４２】
前記のようにロータンク１内部の空気圧を調節して前記ロータンク１を既存の逆Ｕ字型管路を有する貯水槽にも設けることができる。
【産業上の利用可能性】
【００４３】
前述のように本発明に係る節水型洋風便器を一回使用するとき消費される洗浄水量は最大２．５Ｌであるが、既存の一般洋風便器を一回使用するときの洗浄水量は１３Ｌで、国内全体の所帯で計算してみれば多量を節水できる。
【図面の簡単な説明】
【００４４】
【図１】本発明の一実施例に係る節水型洋風便器の作動前の技術構成を示す概略図である。
【図２】本発明の一実施例に係る節水型洋風便器の作動後の技術構成を示す概略図である。
【図３】本発明の他の実施例に係る節水型洋風便器の排出口の概略図である。
【図４】本発明のまた他の実施例に係る節水型洋風便器のロータンクの構成図である。
【図５】本発明のまた他の実施例に係る節水型洋風便器のロータンクに設けられる空気圧力調節器の構成図である。
【図６】本発明のまた他の実施例に係る節水型洋風便器の結合構成図である。
【図７】本発明のまた他の実施例に係る節水型洋風便器の動作状態図である。
【図８】本発明のまた他の実施例に係る節水型洋風便器の洗浄後の動作状態図である。
【図９】本発明のまた他の実施例に係る節水型洋風便器の便座の斜視図である。
【符号の説明】
【００４５】
１，１１０      ロータンク
１２０          球状ゴムフロート
２              ゴムフロート部
２ａ            重量錘
３              開閉器
４              開閉器ガイド
５，１４０      洗浄水流出口
６              空気圧力調節器
６ａ            ホール
７              空気流出口
８              浮具
８ａ            溝
８ｂ            突起
９              遮断膜
１０            スプリング
１１            加圧板
１２            ナット部
１２ａ          空気孔
１３            調節ネジ
１４，１３０    洗浄水流入口
１４ａ          洗浄水逆流防止弁
１６            空気流入弁
１７            給水弁
１８，１８０，２６０，４６０      ゴムパッキング
１９            蓋体
１９ａ          空気孔（ホール）
５０            便座
１５，１５０    給水管
２１０          ピニオンギア
２１１          作動レバー
２２０          ラックギア
２３０          弾性スプリング
２４，２４０    洗浄水流出管
２５０          洗浄水流出路
３１０，５１０  貯水槽
３２０，５３０  汚物排出口 
３３０，５２０  放水路
４１０          開閉ふた
４２０          磁石
４３０          ローラー
４４０          ワイヤー
４５０          ヒンジ
５２            弾性管
５２ａ          空気注入棒
５３            第３チェック弁
５４            ヒンジ
５５            第１チェック弁
５６            第２チェック弁
【図１】
2006500496.tif 000003
【図２】
2006500496.tif 000004
【図３】
2006500496.tif 000005
【図４】
2006500496.tif 000006
【図５】
2006500496.tif 000007
【図６】
2006500496.tif 000008
【図７】
2006500496.tif 000009
【図８】
2006500496.tif 000010
【図９】
2006500496.tif 000011
【国際調査報告】
2006500496.tif 000012